(57)【特許請求の範囲】
【請求項１】
表示画面に表示されたアイコンのクリックを検知することによりウィンドウを開けて電子機器にインストールされた前記アイコンに対応するアプリケーションを立ち上げる際のウィンドウを前記表示画面上に表示するよう制御する表示制御装置であって、
第一のアプリケーションが立ち上げられ、第一のウィンドウが開けられた状態で、前記第一のアプリケーションと異なる第二のアプリケーションの立ち上げの指示を受け付けたか否か、および前記第一のアプリケーションと前記第二のアプリケーションとの間に関連付けがあるか否かを判断する判断部と、
前記判断部により前記指示を受け付けたと判断され、前記判断部により前記第一のアプリケーションと前記第二のアプリケーションとの間に関連付けがあると判断されれば、前記第一のアプリケーションに対応する前記第一のウィンドウの表示範囲内に、前記第二のアプリケーションに対応する第二のウィンドウを組み込んで表示するよう制御する表示制御部と、
前記表示制御部により表示するよう制御された前記第一のウィンドウを閉じる指示が入力されれば、前記第一のウィンドウと共に前記第二のウィンドウを閉じるよう制御するウィンドウ閉じ制御部と、
前記第一のアプリケーションの名称と前記第二のアプリケーションの名称を取得する名称取得部とを備え、
前記判断部は、前記名称取得部により取得された前記第一のアプリケーションの名称と前記第二のアプリケーションの名称とが一部でも一致すれば、前記第一のアプリケーションと前記第二のアプリケーションとの間に関連付けがあると判断する、表示制御装置。
【請求項２】
前記表示制御部は、前記第二のアプリケーションの立ち上げの指示を受け付ける前に開いていた前記第一のウィンドウの表示内容について、前記第二のウィンドウの横に縮小されたサイズで表示する、請求項１に記載の表示制御装置。
【請求項３】
前記表示制御部は、前記第一のウィンドウの表示内容と前記第二のウィンドウとを並列して表示する、請求項２に記載の表示制御装置。
【請求項４】
前記表示制御部により、前記第一のアプリケーションに対応する第一のウィンドウの表示範囲内に、前記第二のアプリケーションに対応する第二のウィンドウを組み込んで表示するよう制御する前に、組み込んでよいか否かの問い合わせを行う問い合わせ部をさらに備える、請求項１〜３のいずれか１項に記載の表示制御装置。
【発明の詳細な説明】
【技術分野】
【０００１】
この発明は、表示制御装置に関するものである。
【背景技術】
【０００２】
コンピューターに接続され、ユーザーとのインターフェースとなるディスプレイは、コンピューター側から発信される情報やユーザーの入力内容を表示する。ここで、ディスプレイの表示画面には、クリックによりアプリケーションを立ち上げたり、ファイルを開けたりするアイコンやツールバーが表示されている。アイコンをクリックすると、ウィンドウが開き、アプリケーションが立ち上がったり、ファイルが開いたりする。
【０００３】
ここで、複数のウィンドウが開けられた際の表示に関する技術が、特開２００６−２３６０４１号公報（特許文献１）、および特開平９−３０５３６５号公報（特許文献２）に開示されている。
【０００４】
特許文献１に開示の情報処理装置は、入力受け付け部と、操作情報取得部と、操作関連情報取得部と、新規ウィンドウ作成指示取得部と、ウィンドウ格納部と、ウィンドウ数取得部と、ウィンドウ判定部と、ウィンドウ更新部と、出力部とを備えている。入力受け付け部は、入力装置の操作に関する情報である操作情報を含む入力信号を受け付ける。操作情報取得部は、入力受け付け部が受け付けた入力信号から操作情報を取得する。操作関連情報取得部は、操作情報取得部が取得した操作情報に基づいて、操作に関連する情報である操作関連情報を取得する。新規ウィンドウ作成指示取得部は、入力信号に基づいて新規ウィンドウを開く指示を取得する。ウィンドウ格納部は、ウィンドウに関する情報であるウィンドウ情報を格納している。ウィンドウ数取得部は、ウィンドウ格納部が格納しているウィンドウ情報に基づいて、開かれているウィンドウの数である開ウィンドウ数を取得する。ウィンドウ判定部は、新規ウィンドウ作成指示取得部が新規ウィンドウを開く指示を取得した場合に、操作関連情報と、ウィンドウ数取得部が取得した開ウィンドウ数とから、開かれているウィンドウを閉じるか否かを判定する。ウィンドウ更新部は、ウィンドウ判定部の判定結果と、新規ウィンドウを開く指示とに基づいて、ウィンドウ格納部が格納しているウィンドウ情報を更新する。出力部は、ウィンドウ格納部が格納しているウィンドウ情報に基づいてウィンドウを出力する。
【０００５】
特許文献２に開示のウィンドウ制御装置は、ウィンドウ情報記憶手段と、変更指示受け付け手段と、判定手段と、表示制御手段とを備える。ウィンドウ情報記憶手段は、各ウィンドウを識別するウィンドウ識別子と該ウィンドウ自体の表示画面上の配置、形状の情報、ウィンドウに表示される情報である属性値とを対応付けたウィンドウ情報を記憶している。変更指示受け付け手段は、ウィンドウ情報記憶手段に記憶されているウィンドウ情報の属性値の変更指示を受け付ける。判定手段は、変更指示に係る該属性値がウィンドウ情報中の属性値と一致するか否かを判定する。表示制御手段は、判定手段が一致すると判定したときに、表示画面の当該ウィンドウを閉じることとしている。
【先行技術文献】
【特許文献】
【０００６】
【特許文献１】特開２００６−２３６０４１号公報
【特許文献２】特開平９−３０５３６５号公報
【発明の概要】
【発明が解決しようとする課題】
【０００７】
コンピューターには、一般的に、複数の種類のアプリケーションがインストールされている。これらのアプリケーションは、ディスプレイの表示画面に表示された各々のアプリケーションに対応するアイコンがクリックされることにより、作業領域となるウィンドウが開いて表示され、立ち上げられる。複数のアイコンをクリックすると、それぞれのアプリケーションに対応する複数のウィンドウが開くことになる。このように複数のアプリケーションに対応するウィンドウを開けてユーザーが作業を行うことは、ユーザーの作業効率の向上の観点から、一般的に広く用いられている手法である。
【０００８】
ユーザーは、作業が終了した際に、それぞれのウィンドウを閉じる命令を入力し、それぞれのアプリケーションを閉じる。ここで、立ち上げられたアプリケーション毎にウィンドウを閉じる命令を入力するとなれば、開けて表示したウィンドウの数だけウィンドウを閉じる命令を入力しなければならず、ユーザーの操作数が増大することとなる。このような状況は、好ましくない。すなわち、ユーザーの利便性の向上の観点からすると、複数のアプリケーションに対応する複数のウィンドウを閉じる際に、できるだけ操作数を少なくすることが求められる。
【０００９】
特許文献１に開示の技術では、開かれているウィンドウの数に応じてウィンドウを閉じるか否かを判定しているだけであり、複数のウィンドウを閉じる際の上記した状況に適切に対応することはできない。また、特許文献２では、属性値に基づいて判定手段が一致すると判定したときに、表示画面のウィンドウを閉じることとしている。このような特許文献２に開示の技術でも、上記した状況に対応することはできない。
【００１０】
この発明の目的は、ユーザーの利便性を向上することができる表示制御装置を提供することである。
【課題を解決するための手段】
【００１１】
この発明の表示制御装置は、表示画面に表示されたアイコンのクリックを検知することによりウィンドウを開けて電子機器にインストールされたアイコンに対応するアプリケーションを立ち上げる際のウィンドウを表示画面上に表示するよう制御する。表示制御装置は、判断部と、表示制御部と、ウィンドウ閉じ制御部と、名称取得部とを備える。判断部は、第一のアプリケーションが立ち上げられ、第一のウィンドウが開けられた状態で、第一のアプリケーションと異なる第二のアプリケーションの立ち上げの指示を受け付けたか否か、および第一のアプリケーションと第二のアプリケーションとの間に関連付けがあるか否かを判断する。表示制御部は、判断部により指示を受け付けたと判断され、判断部により第一のアプリケーションと第二のアプリケーションとの間に関連付けがあると判断されれば、第一のアプリケーションに対応する第一のウィンドウの表示範囲内に、第二のアプリケーションに対応する第二のウィンドウを組み込んで表示するよう制御する。ウィンドウ閉じ制御部は、表示制御部により表示するよう制御された第一のウィンドウを閉じる指示が入力されれば、第一のウィンドウと共に第二のウィンドウを閉じるよう制御する。名称取得部は、第一のアプリケーションの名称と第二のアプリケーションの名称を取得する。判断部は、名称取得部により取得された第一のアプリケーションの名称と第二のアプリケーションの名称とが一部でも一致すれば、第一のアプリケーションと第二のアプリケーションとの間に関連付けがあると判断する。
【発明の効果】
【００１２】
このような表示制御装置によると、判断部による判断に応じて、第一のアプリケーションに対応する第一のウィンドウの表示範囲内に、第二のアプリケーションに対応する第二のウィンドウを組み込んで表示するよう制御されている。したがって、各々のウィンドウの視認性を良好にすることができる。そして、ウィンドウ閉じ制御部により、表示制御部により表示するよう制御された第一のウィンドウを閉じる指示が入力されれば、第一のウィンドウと共に第二のウィンドウを閉じるよう制御されている。そうすると、立ち上げた第一および第二のアプリケーションに対応する第一および第二のウィンドウを閉じる際に、一度の操作で双方のウィンドウを閉じることができる。したがって、複数のアプリケーションを立ち上げた後において、複数のウィンドウを閉じる際に、ユーザーの操作数の低減を図ることができる。その結果、ユーザーの利便性の向上を図ることができる。
【図面の簡単な説明】
【００１３】
【図１】この発明の一実施形態に係る表示制御装置を含む表示システムの構成を示すブロック図である。
【図２】図１に示す表示制御装置を含むコンピューターの外観を示す図である。
【図３】表示画面の一例を示す図である。
【図４】表示制御装置を用いて、第一および第二のアプリケーションが立ち上げられた場合の処理の流れを示すフローチャートである。
【図５】表示画面の一例を示す図である。
【図６】表示画面の一例を示す図である。
【図７】この発明に係る表示制御装置を含む携帯端末装置の構成を示すブロック図である。
【発明を実施するための形態】
【００１４】
以下、この発明の実施の形態について説明する。図１は、この発明の一実施形態に係る表示制御装置を含む表示システムの構成を示すブロック図である。図２は、図１に示す表示制御装置を含むコンピューターの外観を示す図である。
【００１５】
図１および図２を参照して、表示システム１１は、表示制御装置１３を含む電子機器としてのコンピューター１２と、表示画面１７を含むディスプレイ１４と、キーボード１５と、マウス１６とを備える。コンピューター１２は、ディスプレイ１４、キーボード１５、およびマウス１６のそれぞれと接続されている。
【００１６】
コンピューター１２は、コンピューター１２自身を制御するコンピューター制御部１８と、データを格納するハードディスク１９とを備える。ハードディスク１９には、種々のアプリケーションがインストールされている。ディスプレイ１４は、コンピューター１２における情報の表示に際して、ユーザーへの出力のインターフェースとなる。すなわち、ディスプレイ１４の表示画面１７において、コンピューター１２における種々の情報を表示すると共に、ユーザーによる入力内容等を表示する。具体的には、表示画面１７には、クリックにより、アプリケーションを立ち上げるアイコンやツールバー等が表示されている。
【００１７】
キーボード１５およびマウス１６は、ユーザーからコンピューター１２に対する入力のインターフェースとなる。すなわち、ユーザーは、ディスプレイ１４の表示画面１７に表示される内容を見て、キーボード１５およびマウス１６を用いて、コンピューター１２への動作の実行の命令の入力や数値データの入力等の操作を行う。
【００１８】
表示画面１７による表示を制御する表示制御装置１３は、コンピューター１２に備えられている。表示制御装置１３は、コンピューター１２にインストールされたアプリケーションを立ち上げる際のアプリケーションに対応するウィンドウを表示画面１７上に表示するよう制御する。
【００１９】
ここで、表示制御装置１３は、判断部２１と、表示制御部２２と、ウィンドウ閉じ制御部２３とを備える。判断部２１は、第一のアプリケーションが立ち上げられた状態で、第一のアプリケーションと異なる第二のアプリケーションの立ち上げの指示を受け付けたか否かを判断する。表示制御部２２は、判断部２１により指示を受け付けたと判断されれば、第一のアプリケーションに対応する第一のウィンドウの表示範囲内に、第二のアプリケーションに対応する第二のウィンドウを組み込んで表示するよう制御する。ウィンドウ閉じ制御部２３は、表示制御部２２により表示するよう制御された第一のウィンドウを閉じる指示が入力されれば、第一のウィンドウと共に第二のウィンドウを閉じるよう制御する。
【００２０】
図３は、第一のアイコン、および第二のアイコンが表示された表示画面１７の一例を示す図である。図３を参照して、表示画面１７上において、ファイルＸに対応する第一のアイコン２６ａと、ファイルＹに対応する第二のアイコン２６ｂとが表示されている。第一のアイコン２６ａは、第二のアイコン２６ｂの下側に位置している。第一のアイコン２６ａをクリックすると、第一のウィンドウが開いて表示され、ファイルＸに対応する第一のアプリケーションが立ち上がる。第一のアプリケーションとしては、例えば、マイクロソフト社のエクセルが挙げられる。第二のアイコン２６ｂをクリックすると、第二のウィンドウが開いて表示され、ファイルＹに対応する第二のアプリケーションが立ち上がる。第二のアプリケーションとしては、例えば、マイクロソフト社のワードが挙げられる。
【００２１】
次に、第一および第二のアプリケーションが立ち上げられた場合の処理の流れについて説明する。図４は、表示制御装置１３を用いて、第一および第二のアプリケーションが立ち上げられた場合の処理の流れを示すフローチャートである。
【００２２】
図４を参照して、ユーザーにより第一のアイコン２６ａがクリックされる。そうすると、コンピューター１２は、表示画面１７上に表示されたアイコン２６ａの押下、すなわち、クリックを検知する（図４において、ステップＳ１１、以下、「ステップ」を省略する）。そして、ウィンドウを開けて表示して、アイコン２６ａに対応する第一のアプリケーションを立ち上げる（Ｓ１２）。この場合、ファイルＸに対応するエクセルのアプリケーションを立ち上げる。
【００２３】
次に、判断部２１は、第一のアプリケーションが立ち上げられた状態で、第一のアプリケーションと異なる第二のアプリケーションの立ち上げの指示を受け付けたか否かを判断する（Ｓ１３）。ここで、ユーザーにより第二のアイコン２６ｂがクリックされる。そうすると、コンピューター１２は、表示画面１７上に表示されたアイコン２６ｂの押下、すなわち、クリックを検知する。そして、判断部２１は、第一のアプリケーションとしてのエクセルのアプリケーションが立ち上げられた状態で、第二のアプリケーションとしてのワードのアプリケーションの立ち上げの指示を受け付けたと判断する（Ｓ１３において、ＹＥＳ）。なお、第二のアプリケーションの立ち上げの指示を受け付けなかった場合（Ｓ１３において、ＮＯ）、そのままＳ１５に進む。
【００２４】
表示制御部２２は、判断部２１により指示を受け付けたと判断されれば、第一のアプリケーションとしてのエクセルのアプリケーションに対応する第一のウィンドウの表示範囲内に、第二のアプリケーションとしてのワードのアプリケーションに対応する第二のウィンドウを組み込んで表示するよう制御する（Ｓ１４）。
【００２５】
図５は、この場合の表示画面１７の一例を示す図である。図５を参照して、表示画面１７には、第一のアプリケーションに対応する第一のウィンドウ２７が表示されている。そして、第一のウィンドウ２７の表示範囲内において、第二のアプリケーションに対応する第二のウィンドウ２８ｂを組み込んで表示されている。なお、第二のアプリケーションの立ち上げの指示を受け付ける前に開いていた第一のウィンドウ２８ａについては、第二のウィンドウ２８ｂの横に縮小されたサイズで表示されている。この場合、ウィンドウ２８ａ、２８ｂは、並列して表示されている。
【００２６】
その後、ユーザーは、ウィンドウ２８ａ、２８ｂに対して作業を行う。作業終了後、第一のウィンドウ２７の右上の隅に表示されているウィンドウを閉じる命令を指示する指示ボタン２９をクリックする。そうすると、ウィンドウ閉じ制御部２３は、第一のウィンドウを閉じる指示を受け付けたと判断する（Ｓ１５において、ＹＥＳ）。
【００２７】
ウィンドウ閉じ制御部２３は、表示制御部２２により表示するよう制御された第一のウィンドウ２７を閉じる指示が入力されれば、第一のウィンドウ２７と共に第二のウィンドウ２８ａを閉じるよう制御する（Ｓ１６）。この場合、縮小されたウィンドウ２８ｂについても、閉じるよう制御する。このようにして第一および第二のアプリケーションは、閉じられる。
【００２８】
このような構成の表示制御装置１３によれば、判断部２１による判断に応じて、第一のアプリケーションに対応する第一のウィンドウ２７の表示範囲内に、第二のアプリケーションに対応する第二のウィンドウ２８ｂを組み込んで表示するよう制御されている。したがって、それぞれのウィンドウ２７、２８ａ、２８ｂの視認性を良好にすることができる。そして、ウィンドウ閉じ制御部２３により、表示制御部２２により表示するよう制御された第一のウィンドウ２７を閉じる指示が入力されれば、第一のウィンドウ２７、２８ａと共に第二のウィンドウ２８ｂを閉じるよう制御されている。そうすると、立ち上げた第一および第二のアプリケーションに対応する第一および第二のウィンドウ２７、２８ａ、２８ｂを閉じる際に、一度の操作で双方のウィンドウ２８ａ、２８ｂを閉じることができる。したがって、複数のアプリケーションを立ち上げた後において、複数のウィンドウを閉じる際に、ユーザーの操作数の低減を図ることができる。その結果、ユーザーの利便性の向上を図ることができる。
【００２９】
この場合、表示制御部２２は、第二のウィンドウ２８ｂの側部に第一のウィンドウ２８ａを表示するよう制御しているため、ユーザーの作業効率の向上を図ることができる。
【００３０】
なお、第一のアイコン２６ａと第二のアイコン２６ｂとのクリックする順序を逆にすると、図６に示すような表示画面１７が表示制御部２２によって表示されるよう制御される。すなわち、図６を参照して、ワードのアプリケーションに対応する第一のウィンドウ３１の表示範囲内に、第二のアプリケーションに対応する第二のウィンドウ３２ａと、縮小された第一のウィンドウ３２ｂとが表示されるよう制御される。また、この場合も、第一のウィンドウ３１の右上の隅に表示されているウィンドウを閉じる命令を指示する指示ボタン３３がクリックされると、ウィンドウ閉じ制御部２３は、第一のウィンドウ３１を閉じる指示を受け付けたと判断する。
【００３１】
また、上記の実施の形態においては、判断部２１は、第一のアプリケーションと第二のアプリケーションとの間に関連付けがあるか否かを判断することとしてもよい。そして、表示制御部２２は、判断部２１により第一のアプリケーションと第二のアプリケーションとの間に関連付けがあると判断されれば、第一のアプリケーションに対応する第一のウィンドウの表示範囲内に、第二のアプリケーションに対応する第二のウィンドウを組み込んで表示するよう制御するようにしてもよい。こうすることにより、予め関連付けられたより適切なアプリケーション同士において、表示されるウィンドウの組み込みを行うことができる。
【００３２】
また、第一のアプリケーションの名称と第二のアプリケーションの名称を取得する名称取得部をさらに備える構成としてもよい。そして、判断部２１は、名称取得部により取得された第一のアプリケーションの名称と第二のアプリケーションの名称とが一部でも一致すれば、第一のアプリケーションと第二のアプリケーションとの間に関連付けがあると判断するようにしてもよい。こうすることにより、アプリケーションの名称に紐付けられて、適切な関連付けに基づくウィンドウの組み込みを行うことができる。
【００３３】
なお、上記の実施の形態においては、表示制御部２２により、第一のアプリケーションに対応する第一のウィンドウの表示範囲内に、第二のアプリケーションに対応する第二のウィンドウを組み込んで表示するよう制御する前に、組み込んでよいか否かの問い合わせを行う問い合わせ部をさらに備える構成としてもよい。こうすることにより、よりユーザーの利便性の向上を図ることができる。
【００３４】
また、このような表示制御装置１３は、コンピューター１２に接続されたディスプレイ１４の表示画面１７のみに限らず、例えば、スマートフォン等の携帯端末装置の表示を制御する際にも利用される。
【００３５】
図７は、この発明に係る表示制御装置を含む携帯端末装置の構成を示すブロック図である。図７を参照して、携帯端末装置４１は、携帯端末装置制御部４２と、ハードディスク４３と、表示画面４４と、表示制御装置４５とを備える。携帯端末装置制御部４２は、携帯端末装置４１自身を制御する。ハードディスク４３は、データを格納する。表示画面４４は、情報を表示する。表示画面４４には、アイコン等が表示される。表示制御装置４５は、携帯端末装置４１にインストールされたアプリケーションを立ち上げる際のアプリケーションに対応するウィンドウを表示画面４４上に表示するよう制御する。
【００３６】
表示制御装置４５は、判断部４６と、表示制御部４７と、ウィンドウ閉じ制御部４８とを備える。判断部４６は、第一のアプリケーションが立ち上げられた状態で、第一のアプリケーションと異なる第二のアプリケーションの立ち上げの指示を受け付けたか否かを判断する。表示制御部４７は、判断部４６により指示を受け付けたと判断されれば、第一のアプリケーションに対応する第一のウィンドウの表示範囲内に、第二のアプリケーションに対応する第二のウィンドウを組み込んで表示するよう制御する。ウィンドウ閉じ制御部４８は、表示制御部４７により表示するよう制御された第一のウィンドウを閉じる指示が入力されれば、第一のウィンドウと共に第二のウィンドウを閉じるよう制御する。このような構成によっても、ユーザーの利便性を向上することができる。
【００３７】
今回開示された実施の形態および実施例はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３８】
この発明に係る表示制御装置は、ユーザーの利便性の向上が要求される場合に、特に有効に利用される。
【符号の説明】
【００３９】
１１  表示システム、１２  コンピューター、１３，４５  表示制御装置、１４  ディスプレイ、１５  キーボード、１６  マウス、１７，４４  表示画面、１８  コンピューター制御部、１９，４３  ハードディスク、２１，４６  判断部、２２，４７  表示制御部、２３，４８  ウィンドウ閉じ制御部、２６ａ，２６ｂ  アイコン、２７，２８ａ，２８ｂ，３１，３２ａ，３２ｂ  ウィンドウ、２９，３３  指示ボタン、４１  携帯端末装置、４２  携帯端末装置制御部。
【図１】
0006455467.tif 000002
【図２】
0006455467.tif 000003
【図３】
0006455467.tif 000004
【図４】
0006455467.tif 000005
【図５】
0006455467.tif 000006
【図６】
0006455467.tif 000007
【図７】
0006455467.tif 000008